(57)【要約】【課題】ユーザがゲーム感覚で親しみを持って電子メールを送受信できる電子メール受信装置、電子メール送信装置、電子メール受信方法及び電子メール送信方法を提供する。【解決手段】本発明の電子メール送信装置は、第１の情報を生成する情報生成部と、前記第１の情報を複数の第２の情報に分割する分割部と、少なくとも１つの前記第２の情報に、複数の前記第２の情報から前記第１の情報を生成するための結合情報を付加する結合情報付加部と、前記結合情報が付加された複数の前記第２の情報を同一のあて先に電子メールとしてそれぞれ送信する送信部と、を有する。【選択図】　　　　図１
2004062775.tif 000002
【特許請求の範囲】
【請求項１】
第１の情報を生成する情報生成部と、
前記第１の情報を複数の第２の情報に分割する分割部と、
少なくとも１つの前記第２の情報に、複数の前記第２の情報から前記第１の情報を生成するための結合情報を付加する結合情報付加部と、
前記結合情報が付加された複数の前記第２の情報を同一のあて先に電子メールとしてそれぞれ送信する送信部と、
を有することを特徴とする電子メール送信装置。
【請求項２】
第１の情報を生成する情報生成部と、
前記第１の情報を複数の第２の情報に分割する分割部と、
分割された複数の前記第２の情報と、前記第２の情報から前記第１の情報を生成するための結合情報とを、同一のあて先に電子メールとしてそれぞれ送信する送信部と、
を有することを特徴とする電子メール送信装置。
【請求項３】
前記送信部は、前記電子メールを一定のインターバル時間をおいて順次送信することを特徴とする請求項１又は請求項２に記載の電子メール送信装置。
【請求項４】
前記第２の情報を暗号化する暗号化部を更に有し、
前記送信部は、暗号化された前記第２の情報を同一のあて先に電子メールとしてそれぞれ送信することを特徴とする請求項１又は請求項２に記載の電子メール送信装置。
【請求項５】
前記暗号化部が、前記第２の情報をそれぞれ異なる方法又は異なる暗号化鍵で暗号化することを特徴とする請求項４に記載の電子メール送信装置。
【請求項６】
複数の電子メールを受信する受信部と、
前記電子メールに含まれる結合情報に基づいて、複数の前記電子メールのそれぞれに含まれる第２の情報を結合して前記第１の情報を生成する結合情報生成部と、
を有することを特徴とする電子メール受信装置。
【請求項７】
第２の情報を有する複数の電子メールと、前記第２の情報から第１の情報を生成するための結合情報を有する電子メールとを受信する受信部と、
前記結合情報に基づいて、複数の前記第２の情報を結合して前記第１の情報を生成する結合情報生成部と、
を有することを特徴とする電子メール受信装置。
【請求項８】
受信した前記電子メールから複数の前記第２の情報と前記結合情報とを抽出する抽出部を更に有することを特徴とする請求項６又は請求項７に記載の電子メール受信装置。
【請求項９】
前記結合情報生成部は、一定のインターバル時間をおいて前記第１の情報を生成する処理を所定情報量ずつ実行することを特徴とする請求項６又は請求項７に記載の電子メール受信装置。
【請求項１０】
画像情報を生成する画像情報生成部を更に有し、
前記画像情報生成部は、複数の結合方法又は暗号の復号化方法のリストを表示し、
前記結合情報生成部は、前記リストの中から操作者が選択した結合方法又は復号化方法により前記第２の情報を結合し又は復号化し、前記結合情報と同一の結合方法又は復号化方法を一定選択回数又は一定時間以内に操作者が選択しない場合は、前記結合情報に基づいて前記第２の情報を結合し又は復号化し、
前記画像情報生成部は、結合された又は復号化された前記第２の情報を表示することを特徴とする請求項６又は請求項７に記載の電子メール受信装置。
【請求項１１】
第１の情報を生成する情報生成ステップと、
前記第１の情報を複数の第２の情報に分割する分割ステップと、
少なくとも１つの前記第２の情報に、複数の前記第２の情報から前記第１の情報を生成するための結合情報を付加する結合情報付加ステップと、
前記結合情報が付加された複数の前記第２の情報を同一のあて先に電子メールとしてそれぞれ送信する送信ステップと、
を有することを特徴とする電子メール送信方法。
【請求項１２】
第１の情報を生成する情報生成ステップと、
前記第１の情報を複数の第２の情報に分割する分割ステップと、
分割された複数の前記第２の情報と、前記第２の情報から前記第１の情報を生成するための結合情報とを、同一のあて先に電子メールとしてそれぞれ送信する送信ステップと、
を有することを特徴とする電子メール送信方法。
【請求項１３】
前記送信ステップにおいて、前記電子メールを一定のインターバル時間をおいて順次送信することを特徴とする請求項１１又は請求項１２に記載の電子メール送信方法。
【請求項１４】
前記第２の情報を暗号化する暗号化ステップを更に有し、前記送信ステップにおいて、暗号化された前記第２の情報を同一のあて先に電子メールとしてそれぞれ送信することを特徴とする請求項１１又は請求項１２に記載の電子メール送信方法。
【請求項１５】
前記暗号化ステップにおいて、前記第２の情報をそれぞれ異なる方法又は異なる暗号化鍵で暗号化することを特徴とする請求項１４に記載の電子メール送信方法。
【請求項１６】
複数の電子メールを受信する受信ステップと、
前記電子メールに含まれる結合情報に基づいて、複数の前記電子メールのそれぞれに含まれる第２の情報を結合して前記第１の情報を生成する結合情報生成ステップと、
を有することを特徴とする電子メール受信方法。
【請求項１７】
第２の情報を有する複数の電子メールと、前記第２の情報から第１の情報を生成するための結合情報を有する電子メールとを受信する受信ステップと、
前記結合情報に基づいて、複数の前記第２の情報を結合して前記第１の情報を生成する結合情報生成ステップと、
を有することを特徴とする電子メール受信方法。
【請求項１８】
受信した前記電子メールから複数の前記第２の情報と前記結合情報とを抽出する抽出ステップを更に有することを特徴とする請求項１６又は請求項１７に記載の電子メール受信方法。
【請求項１９】
前記結合情報生成ステップにおいて、一定のインターバル時間をおいて前記第１の情報を生成する処理を所定情報量ずつ実行することを特徴とする請求項１６又は請求項１７に記載の電子メール受信方法。
【請求項２０】
前記結合情報生成ステップが、
複数の結合方法又は暗号の復号化方法のリストを表示する画像情報を生成する第１の画像情報生成ステップと、
前記リストの中から操作者が選択した結合方法又は復号化方法により前記第２の情報を結合し又は復号化し、結合された又は復号化された前記第２の情報を表示する第２の画像情報生成ステップと、
前記結合情報と同一の結合方法又は復号化方法を一定選択回数又は一定時間以内に操作者が選択しない場合は、前記結合情報に基づいて前記第２の情報を結合し又は復号化し、結合された又は復号化された前記第２の情報を表示する第３の画像情報生成ステップと、
を有することを特徴とする請求項１６又は請求項１７に記載の電子メール受信方法。
【請求項２１】
電子メールの送信部を有する情報処理装置に請求項１１から請求項１５のいずれかの請求項に記載の電子メール送信方法を実現させるためのプログラム。
【請求項２２】
電子メールの受信部を有する情報処理装置に請求項１６から請求項２０のいずれかの請求項に記載の電子メール受信方法を実現させるためのプログラム。
【発明の詳細な説明】
【０００１】
【発明の属する技術分野】
本発明は通信ネットワークを介してパーソナルコンピュータなどの通信端末間で電子メールを授受するための電子メール受信装置、電子メール送信装置、電子メール受信方法及び電子メール送信方法に関する。
【０００２】
【従来の技術】
離れているコンピュータ間で互いに情報を授受することができる世界的な規模の通信ネットワーク環境を提供するインターネットの一つの利用形態として、電子メールが広く普及している。
送信者は、伝えたい内容をエディタで記述し、メーラ（電子メールを送受信するためのソフトウェア）と呼ばれる電子メール用クライアントツールによって必要なアドレスと宛名を付与して受信者に送る。
受信者は、メーラを起動した際に到着通知が表示されるなどの方法で、自分のポストに電子メールが着信したことを確認し、メーラによって自分宛の電子メールを読むことができる。
【０００３】
【発明が解決しようとする課題】
上述した電子メールシステムは、使い慣れると非常に便利である反面、初めてパーソナルコンピュータを使用して電子メールのやり取りを行うユーザにとっては、利用が難しいという側面があった。すなわち、電子メールをやり取りするためのソフトウェアであるメーラの操作方法をマニュアル等で学習し、十分に理解した上でなければ利用することができなかった。
又、多くのメーラは無味乾燥なものが多く、趣味の一環として使用しているユーザにとっては、娯楽性がなくすぐに飽きてしまっていた。
そこで、上述の従来の実状に鑑み本発明の目的は、ゲーム感覚で楽しみながら操作することにより電子メールを授受できる電子メール受信装置、電子メール送信装置、電子メール受信方法及び電子メール送信方法を提供することにある。
【０００４】
【課題を解決するための手段】
上記課題を解決するため、本発明は下記の構成を有する。
請求項１に記載の発明は、第１の情報を生成する情報生成部と、前記第１の情報を複数の第２の情報に分割する分割部と、少なくとも１つの前記第２の情報に、複数の前記第２の情報から前記第１の情報を生成するための結合情報を付加する結合情報付加部と、前記結合情報が付加された複数の前記第２の情報を同一のあて先に電子メールとしてそれぞれ送信する送信部と、を有することを特徴とする電子メール送信装置である。
請求項１、１１の電子メール送信装置は、好ましくは少なくとも１つの第２の情報に識別情報を付加する識別情報付加部（又は識別情報付加ステップ）を更に有し、送信部（又は送信ステップ）は、識別情報及び結合情報が付加された複数の第２の情報を同一のあて先に電子メールとしてそれぞれ送信する。
【０００５】
請求項２に記載の発明は、第１の情報を生成する情報生成部と、前記第１の情報を複数の第２の情報に分割する分割部と、分割された複数の前記第２の情報と、前記第２の情報から前記第１の情報を生成するための結合情報とを、同一のあて先に電子メールとしてそれぞれ送信する送信部と、を有することを特徴とする電子メール送信装置である。
請求項２、１２の電子メール送信装置は、好ましくは第２の情報に識別情報をそれぞれ付加する識別情報付加部（又は識別情報付加ステップ）を更に有し、送信部（又は送信ステップ）は、分割され且つ識別情報を付加された複数の第２の情報と、第２の情報から第１の情報を生成するための結合情報とを、同一のあて先に電子メールとしてそれぞれ送信する。
【０００６】
請求項３に記載の発明は、前記送信部は、前記電子メールを一定のインターバル時間をおいて順次送信することを特徴とする請求項１又は請求項２に記載の電子メール送信装置である。
【０００７】
請求項４に記載の発明は、前記第２の情報を暗号化する暗号化部を更に有し、前記送信部は、暗号化された前記第２の情報を同一のあて先に電子メールとしてそれぞれ送信することを特徴とする請求項１又は請求項２に記載の電子メール送信装置である。
【０００８】
請求項５に記載の発明は、前記暗号化部が、前記第２の情報をそれぞれ異なる方法又は異なる暗号化鍵で暗号化することを特徴とする請求項４に記載の電子メール送信装置である。
【０００９】
請求項６に記載の発明は、複数の電子メールを受信する受信部と、前記電子メールに含まれる結合情報に基づいて、複数の前記電子メールのそれぞれに含まれる第２の情報を結合して前記第１の情報を生成する結合情報生成部と、を有することを特徴とする電子メール受信装置である。
【００１０】
請求項７に記載の発明は、第２の情報を有する複数の電子メールと、前記第２の情報から第１の情報を生成するための結合情報を有する電子メールとを受信する受信部と、前記結合情報に基づいて、複数の前記第２の情報を結合して前記第１の情報を生成する結合情報生成部と、を有することを特徴とする電子メール受信装置である。
請求項６、７、１６、１７において、結合情報生成部（又は結合情報生成ステップ）は、自動的に複数の第２の情報を結合して第１の情報を生成しても良く、ユーザの指示に基づいて複数の第２の情報を結合して第１の情報を生成しても良い。ユーザの指示に基づいて複数の第２の情報を結合して第１の情報を生成することは、ユーザが例えば結合方法の固有識別番号をを入力して指示しても良く、例えば請求項１０に記載の発明のように提示された複数の結合方法の中からユーザが特定の結合方法を選択して指示しても良い。
【００１１】
請求項８に記載の発明は、受信した前記電子メールから複数の前記第２の情報と前記結合情報とを抽出する抽出部を更に有することを特徴とする請求項６又は請求項７に記載の電子メール受信装置である。
【００１２】
請求項９に記載の発明は、前記結合情報生成部は、一定のインターバル時間をおいて前記第１の情報を生成する処理を所定情報量ずつ実行することを特徴とする請求項６又は請求項７に記載の電子メール受信装置である。
【００１３】
請求項１０に記載の発明は、画像情報を生成する画像情報生成部を更に有し、前記画像情報生成部は、複数の結合方法又は暗号の復号化方法のリストを表示し、前記結合情報生成部は、前記リストの中から操作者が選択した結合方法又は復号化方法により前記第２の情報を結合し又は復号化し、前記結合情報と同一の結合方法又は復号化方法を一定選択回数又は一定時間以内に操作者が選択しない場合は、前記結合情報に基づいて前記第２の情報を結合し又は復号化し、前記画像情報生成部は、結合された又は復号化された前記第２の情報を表示することを特徴とする請求項６又は請求項７に記載の電子メール受信装置である。
【００１４】
請求項１１に記載の発明は、第１の情報を生成する情報生成ステップと、前記第１の情報を複数の第２の情報に分割する分割ステップと、少なくとも１つの前記第２の情報に、複数の前記第２の情報から前記第１の情報を生成するための結合情報を付加する結合情報付加ステップと、前記結合情報が付加された複数の前記第２の情報を同一のあて先に電子メールとしてそれぞれ送信する送信ステップと、を有することを特徴とする電子メール送信方法である。
【００１５】
請求項１２に記載の発明は、第１の情報を生成する情報生成ステップと、前記第１の情報を複数の第２の情報に分割する分割ステップと、分割された複数の前記第２の情報と、前記第２の情報から前記第１の情報を生成するための結合情報とを、同一のあて先に電子メールとしてそれぞれ送信する送信ステップと、を有することを特徴とする電子メール送信方法である。
【００１６】
請求項１３に記載の発明は、前記送信ステップにおいて、前記電子メールを一定のインターバル時間をおいて順次送信することを特徴とする請求項１１又は請求項１２に記載の電子メール送信方法である。
【００１７】
請求項１４に記載の発明は、前記第２の情報を暗号化する暗号化ステップを更に有し、前記送信ステップにおいて、暗号化された前記第２の情報を同一のあて先に電子メールとしてそれぞれ送信することを特徴とする請求項１１又は請求項１２に記載の電子メール送信方法である。
【００１８】
請求項１５に記載の発明は、前記暗号化ステップにおいて、前記第２の情報をそれぞれ異なる方法又は異なる暗号化鍵で暗号化することを特徴とする請求項１４に記載の電子メール送信方法である。
【００１９】
請求項１６に記載の発明は、複数の電子メールを受信する受信ステップと、前記電子メールに含まれる結合情報に基づいて、複数の前記電子メールのそれぞれに含まれる第２の情報を結合して前記第１の情報を生成する結合情報生成ステップと、を有することを特徴とする電子メール受信方法である。
【００２０】
請求項１７に記載の発明は、第２の情報を有する複数の電子メールと、前記第２の情報から第１の情報を生成するための結合情報を有する電子メールとを受信する受信ステップと、前記結合情報に基づいて、複数の前記第２の情報を結合して前記第１の情報を生成する結合情報生成ステップと、を有することを特徴とする電子メール受信方法である。
【００２１】
請求項１８に記載の発明は、受信した前記電子メールから複数の前記第２の情報と前記結合情報とを抽出する抽出ステップを更に有することを特徴とする請求項１６又は請求項１７に記載の電子メール受信方法である。
【００２２】
請求項１９に記載の発明は、前記結合情報生成ステップにおいて、一定のインターバル時間をおいて前記第１の情報を生成する処理を所定情報量ずつ実行することを特徴とする請求項１６又は請求項１７に記載の電子メール受信方法である。
【００２３】
請求項２０に記載の発明は、前記結合情報生成ステップが、複数の結合方法又は暗号の復号化方法のリストを表示する画像情報を生成する第１の画像情報生成ステップと、前記リストの中から操作者が選択した結合方法又は復号化方法により前記第２の情報を結合し又は復号化し、結合された又は復号化された前記第２の情報を表示する第２の画像情報生成ステップと、前記結合情報と同一の結合方法又は復号化方法を一定選択回数又は一定時間以内に操作者が選択しない場合は、前記結合情報に基づいて前記第２の情報を結合し又は復号化し、結合された又は復号化された前記第２の情報を表示する第３の画像情報生成ステップと、を有することを特徴とする請求項１６又は請求項１７に記載の電子メール受信方法である。
【００２４】
請求項２１に記載の発明は、電子メールの送信部を有する情報処理装置に請求項１１から請求項１５のいずれかの請求項に記載の電子メール送信方法を実現させるためのプログラムである。
【００２５】
請求項２２に記載の発明は、電子メールの受信部を有する情報処理装置に請求項１６から請求項２０のいずれかの請求項に記載の電子メール受信方法を実現させるためのプログラムである。
【００２６】
本発明は、ゲーム感覚で楽しみながら電子メールの送信操作を行うことができる電子メール送信装置、電子メール送信方法及びプログラムを実現出来るという作用を有する。
本発明は、ゲーム感覚で楽しみながら電子メールの受信操作を行うことができる電子メール受信装置、電子メール受信方法及びプログラムを実現出来るという作用を有する。
【００２７】
【発明の実施の形態】
以下、本発明の実施をするための最良の形態を具体的に示した実施例について、図面とともに記載する。
【００２８】
《実施例１》
図１〜図６を用いて、本発明の実施例１の電子メール受信装置、電子メール送信装置、電子メール受信方法及び電子メール送信方法について説明する。
本発明の電子メール送信装置は、いろいろな方法で電子メールを分割して送信することができる。
本発明の電子メール受信装置は、分割された電子メールを画面に表示する。ユーザはゲーム感覚でその理解不能の電子メールを解読し、結合方法を探し出す。正しい結合方法を見つけだすことができれば、その電子メールを読むことができる。
【００２９】
図１は本発明の実施例１の電子メール受信装置及び電子メール送信装置のシステム構成を示すブロック図である。
はじめに、実施例１の電子メール受信装置及び電子メール送信装置のシステムの構成について説明する。図１において、１０１は電子メール送信装置、１０２はインターネット、１０３は電子メール受信装置、１０４は画像表示部である。電子メール送信装置１０１は、指令入力部１１１、情報生成部１１２、分割部１１３、識別情報付加部１１４、結合情報付加部１１５、格納部１１６、送信部１１７を有する。
又、電子メール受信装置１０３は、受信部１２１、抽出部１２２、指令入力部１２３、画像情報生成部１２４を有する。画像情報生成部１２４は、情報結合部１２５を有する。実施例１の電子メール送信装置１０１及び電子メール受信装置１０３は、パーソナルコンピュータである。
【００３０】
次に、実施例１の電子メール受信装置及び電子メール送信装置のシステムにおける情報の流れを説明する。ユーザは、電子メール送信装置１０１の指令入力部１１１（例えばキーボード、マウス等）に指令情報を入力する。情報生成部１１２（例えばエディタプログラム）は、その指令情報に基づいて第１の情報（電子メールの本文）を生成する。分割部１１３は、第１の情報を複数（２以上の任意の数）の第２の情報に分割する。実施例において分割部１１３は、最初に、画面上に異なる分割方法に関連付けられた複数の数字を表示する。ユーザが任意の数字を選択してクリックすると、分割部１１３は選択された分割方法で第１の情報を分割し、複数の第２の情報を生成する。例えば第１の情報を２つに分割し、第１の分割された本文３３１及び第２の分割された本文３３２を生成する。分割方法は任意であるが、第１の分割された本文３３１及び第２の分割された本文３３２をそれぞれ読んだだけでは、電子メールの本文を理解できないように、第１の情報を分割することが好ましい。例えば、電子メールの本文「こんにちは、おげんきですか。」の奇数番目の文字を第１の分割された本文３３１「こにはおんでか」とし、偶数番目の文字を第２の分割された本文３３２「んち、げきす。」とする。
【００３１】
識別情報付加部１１４は、分割前は第１の情報であったことを示す識別情報（固有番号）を、第２の分割された本文３３２に付加する。結合情報付加部１１５は、複数の第２の情報から第１の情報を生成するための結合情報を、第１の分割された本文３３１に付加する。実施例において、結合情報は、この結合情報が付加された電子メールの本文である第１の分割された本文３３１と、上記の識別情報を有する電子メールの本文である第２の分割された本文３３２とを、所定の方法で結合することにより（具体的には、上記の分割方法の逆の処理を行う。）、１つのまとまった電子メールの本文である第１の情報を生成する実行プログラムを有する。
【００３２】
送信者が指令入力部１１１を通じて電子メールの宛先を入力すると、第２の情報をそれぞれ有する複数の電子メール（宛先は同一）が生成される。格納部１１６は、複数の電子メール（識別情報及び結合情報が付加された複数の第２の情報）を送信待ちのフォルダに格納する。送信部１１７は、複数の電子メール（識別情報及び結合情報が付加された複数の第２の情報を有する。）を同一の宛先に送信する。送信された電子メールはインターネット１０２を経由して電子メール受信装置１０３に届く。
【００３３】
電子メール受信装置１０３の受信部１２２は複数の電子メールを受信する。電子メールはそのまま抽出部１２２に送られる。抽出部１２２は、複数の電子メールから複数の第２の情報、識別情報及び結合情報を抽出し、画像情報生成部１２４に伝送する。
ユーザは指令入力部１２３（例えばキーボード、マウス等）に電子メールの受信状況をチェックする指令、画像上の位置を指定する指令、受信した電子メールを開く指令等を入力する。指令入力部１２３は、ユーザが入力した指令を画像情報生成部１２４に伝送する。
画像情報生成部１２４の情報結合部１２５は、画面上で分割されたウインドウのそれぞれに、識別情報で関連付けられた複数の第２の情報を表示する。情報結合部１２５は、ユーザの指令等に応じて、複数の第２の情報をユーザの指定した結合方法で結合してその結果を表示し、又は結合情報に含まれる実行プログラムを実行して複数の第２の情報を結合して第１の情報を生成する。
【００３４】
図２、図３を用いて実施例１の電子メール送信方法について詳細に説明する。図２は本発明の実施例１の電子メール送信方法のフローチャートであり、図３は本発明の実施例１の電子メール送信装置が送信する複数の電子メールの構成図例である。
図２において、ステップ２０１でユーザが文書を電子メール送信装置１０１の指令入力部１１１から入力する。ステップ２０２で情報生成部１１２が入力された文書から第１の情報（本文のみ）を生成する。ステップ２０３で分割部１１３が第１の情報（本文のみ）を複数の第２の情報（本文のみ）に分割する。本実施例において複数の第２の情報（本文のみ）は、第１の分割された本文３３１、第２の分割された本文３３２である。
【００３５】
ステップ２０４で識別情報付加部１１４が、分割前は第１の情報であったことを示す識別情報を、第２の分割された本文３３２に付加する。全ての第２の情報（第１の分割された本文３３１及び第２の分割された本文３３２）に識別情報を付加しても良く、結合情報を付加する第２の情報（第１の分割された本文３３１）以外の第２の情報（第２の分割された本文３３２のみ）に、識別情報を付加しても良い（例えば実施例１）。識別情報は、通常の電子メールにはない特別な情報であっても良く（例えば実施例１）、通常の電子メールも有する情報であって、それによって第２の情報が付加された電子メールを他の電子メールと区別出来る情報（例えば実施例２）であっても良い。
本実施例においては、第２の電子メール３０２（第２の分割された本文３３２を含む。）のヘッダ３１１に第２の電子メールの固有番号（識別情報）３２３をセットする。
【００３６】
ステップ２０５で結合情報付加部１１５が、複数の第２の情報から第１の情報を生成するための結合情報を、第１の分割された本文３３１に添付ファイル３１３として付加する。本実施例において結合情報は、複数の第２の情報を結合するための実行ファイル３４１、分割された電子メールの数３４２、及び第２の電子メール３０２（第２の分割された本文３３２を含む。）の固有番号３２３を有する。第１の分割された本文３３１、添付ファイル３１３等は、第１の電子メール３０１を構成する。
ステップ２０６で、ユーザが指令入力部１１１を通じて送信先電子メールアドレスを指定する。電子メール送信装置１０１は、第１の電子メール３０１、第２の電子メール３０２のそれぞれのヘッダ３１１に同一の送信先電子メールアドレス３２２をセットする。
【００３７】
ステップ２０７で格納部１１６が、第１の分割された本文３３１、第２の分割された本文３３２をそれぞれ含む第１の電子メール３０１、第２の電子メール３０２を送信待ちフォルダに格納する。ステップ２０８で送信部１１７が、第１の電子メール３０１、第２の電子メール３０２を同一の送信先に送信する。ステップ２０９で不要になった第１の電子メール３０１、第２の電子メール３０２を送信トレイから削除し、このフローチャートを終了する。
【００３８】
図３は、送信する電子メールの概略的な構成を示す。本実施例においては、第１の情報は２つの第２の情報に分割される。送信する電子メールは第１の電子メール３０１、第２の電子メール３０２である。
第１の電子メール３０１は、ヘッダ３１１、本文３１２、添付ファイル３１３を有する。第１の電子メール３０１のヘッダ３１１には、送信元アドレス３２１、送信先アドレス３２２が配置されている。又、第１の電子メール３０１の本文３１２には、第１の分割された本文（第２の情報）３３１が配置されている。又、第１の電子メール３０１の添付ファイル３１３には、複数の第２の情報を結合するための実行ファイル３４１、分割された電子メールの数３４２（本実施例においては２）、第２の電子メール３０２の固有番号３４３（第２の情報を有する電子メールを識別するための識別情報。例えば８桁の固有の英数字）が配置されている。
実施例において固有番号３４３は、後述する固有番号３２３と同一である。第１の情報を３つ以上の第２の情報に分割し、３つ以上の電子メールを生成する場合は、固有番号３４３は、複数の固有番号（識別情報。例えば固有番号３２３を含む。）を有する。
【００３９】
第２の電子メール３０２は、ヘッダ３１１、本文３１２を有する。第２の電子メール３０２のヘッダ３１１には、送信元アドレス３２１、送信先アドレス３２２、第２の電子メールの固有番号３２３が配置されている。又、第２の電子メール３０２の本文３１２には、第２の分割された本文（第２の情報）３３２が配置されている。
【００４０】
図４〜図６を用いて実施例１の電子メール受信方法について詳細に説明する。図４は本発明の実施例１の電子メール受信方法のフローチャートである。又、図５は本発明の実施例１の電子メール受信装置が分割された本文を表示した時、及び正しい結合結果を表示した時の画面を示す図であり、図６は本発明の実施例１の電子メール受信装置が結合方法一覧を表示した時の画面を示す図である。
【００４１】
図４において、ステップ４０１で電子メール受信装置１０３の受信部１２１は電子メールを受信する。ステップ４０２で一連の分割電子メールを全て受信したか否か判断する。本実施例においては、固有番号３４３（第１の電子メール３０１に含まれる。）に含まれる固有番号と同一の固有番号を有する電子メールを、第１の電子メール３０１の分割された電子メールの数３４２（第１の電子メール３０１に含まれる。）と同一の数だけ受信したか否かに基づいて判断する。全ての分割電子メールをまだ受信していない場合は、ステップ４０１に戻る。全ての分割電子メールを受信している場合は、ステップ４０３に進み、新着の電子メールがあることを画像表示部１０４に表示する。
【００４２】
ステップ４０４で抽出部１２２は、複数の電子メールから、複数の第２の情報、識別情報、結合情報を抽出し、画像情報生成部１２４に伝送する。ステップ４０５で複数の第２の情報に基づき、分割された本文（複数の第２の情報）を画像表示部１０４に分割表示する（図５に示す分割電子メール表示画面５０１）。さらに、ステップ４０６で結合方法一覧を画像表示部１０４に表示する（図６に示す結合方法一覧画面６０１）。ステップ４０６で表示された複数の結合方法（表示された数字のひとつひとつが、特定の結合方法に対応付けられている。）の中に、真の結合方法（第１の電子メール３０１の添付ファイル３１３の、第２の情報を結合するための実行ファイル３４１に含まれる。）が含まれる。具体的には、図６示す０〜９９の数字の中の１つの数字が、実行ファイル３４１に関連付けられている。ステップ４０５、４０６で表示される画面は、別ウィンドウで表示させるため、同時に両方の画面を見ることができる。
【００４３】
ステップ４０７で分割された本文を表示（ステップ４０５）してから一定時間内に、ユーザが結合方法一覧画面６０１から特定の結合方法を選択したか否かを判断する。「選択する」とは、ユーザが画像表示部１０４上のオブジェクトを指令入力部１２３から指定することをいう。例えば、マウスの指定位置を矢印で表示し、選択したい結合方法の番号の上に矢印を移動させ左クリックすると、上記番号が選択される。選択された場合は、ステップ４０８に進み、さらに選択された方法が正しいか否か判断する。
【００４４】
選択された方法が誤っている場合は、ステップ４０９に進み、情報結合部１２５が誤った結合方法で結合した本文を、画像表示部１０４に表示する。選択された番号の実行ファイルを起動するプログラムは、第１の電子メール３０１の添付ファイル３１３の結合するための実行ファイル３４１に含まれる。図６示す０〜９９の数字にそれぞれ関連付けられた結合方法の実行ファイルは、電子メール受信装置１０３が内蔵する。電子メール受信装置１０３が結合方法の実行プログラムの一部又は全てを有していない場合は、「残念でした。あなたが選択した結合方法ではメールを復元できませんでした。」というメッセージを表示する（この表示プログラムは実行ファイル３４１に含まれる。）。
ステップ４０９で誤った結合方法で結合した本文（又は上記のメッセージ）を表示した後に、ステップ４１０に進み、分割された本文を画像表示部１０４に表示（ステップ４０５）してから一定時間が経過しているか否か判断する。一定時間を経過していない場合は、ステップ４０７に戻る。ユーザは、一定時間内で、別の結合方法を選択し、正しい結合方法を探し続ける。
【００４５】
ステップ４０７で一定時間内に結合方法が選択されなかった場合、ステップ４０８で選択された方法が正しい場合、又はステップ４１０で一定時間を経過している場合は、ステップ４１１に進み、情報結合部１２５が正しい結合方法で結合した本文を、画像表示部１０４に表示する（図５に示す結合結果表示画面５０２）。ステップ４１２で不要になった分割電子メールを削除し、このフローチャートを終了する。
【００４６】
本実施例の電子メール送信装置１０１において、さらに暗号化部を有し、暗号化された第２の情報を送信することとしても良い。この場合、暗号キーは電話等で知らせるか又は事前に打ち合わせておく。又、複数の第２の情報をそれぞれ異なる暗号化方法で暗号化しても良い。電子メール受信装置１０３は、復号化部を有し、暗号化された第２の情報を復号化する。図６において、ユーザが結合方法を選択することに代えて、暗号の復号化方法又は暗号キーを選択しても良い。
又、本実施例のステップ４０５においては、第１の分割された本文１１３１、第２の分割された本文１１３２を同一の画面上に区切って表示しているが、これに代えて別々の画面に表示しても良い。
【００４７】
本実施例のステップ４０７においては、受信者が画像表示部１０４上のオブジェクトを指定する方法としてマウスを使用しているが、キーボードから数字等を入力することにより指定しても良い。
本実施例のステップ４０７において、一定時間内にユーザが結合方法の選択をしたか否かを判断するが、これに代えて、ユーザが一定回数以下の選択をしたか否かを判断しても良い。この場合、ユーザは、一定回数を限度として結合方法を選択することが出来、この限度回数までに正しい結合方法を選択できなければ、ステップ４１１に進んで正しい結合結果を表示する。一定時間を越えるか又は選択回数が一定回数を越えた場合に、ステップ４１１に進むこととしても良い。
【００４８】
電子メール送信装置１０１の送信者は、どのような方法で電子メールを分割するかを考えることにより、受信者とゲーム上のかけ引き（コミュニケーション）をすることができる。受信者は、本発明の電子メール送信装置１０１から送信された分割された電子メールを受信した場合に、分割された電子メールを結合する方法を探すというゲームを楽しむことができる。
第１の情報を複数の第２の情報に分割することにより、電子メールを送信する途中で（例えばインターネットサービスプロバイダに）、第１の情報を知られる恐れが少ない。電子メールを暗号化しても、インターネットサービスプロバイダがコンピュータを用いて復号化キーを発見し、その電子メールを復号化してしまう可能性があるが、インターネットサービスプロバイダが膨大な数の電子メールの中から関連する複数の電子メールを正しく抽出することは極めて困難である。
【００４９】
《実施例２》
図１〜図３、図６〜８を用いて、本発明の実施例２の電子メール受信装置、電子メール送信装置、電子メール受信方法及び電子メール送信方法について説明する。
図１は本発明の実施例２の電子メール受信装置及び電子メール送信装置のシステム構成を示すブロック図である。図２は本発明の実施例２の電子メール送信方法のフローチャートであり、図３は本発明の実施例２の電子メール送信装置が送信する電子メールの構成例である。図１〜図３は実施例１と同様であるため説明を省略する。
【００５０】
図６〜図８を用いて実施例２の電子メール受信方法について詳細に説明する。図７は本発明の実施例２の電子メール受信方法のフローチャートである。又、図８は本発明の実施例２の電子メール受信装置が分割された本文を表示した時、正しい結合結果を表示した時の画面を示す図であり、図６は本発明の実施例２の電子メール受信装置が結合方法一覧を表示した時の画面を示す図である。
【００５１】
図７において、ステップ７０１で電子メール受信装置１０３の受信部１２１は電子メールを受信する。ステップ７０２で一連の分割電子メールを全て受信したか否か判断する。本実施例においては、第１の電子メール３０１の分割された電子メールの数３４２に基づいて判断する。全ての分割電子メールをまだ受信していない場合は、ステップ７０１に戻る。全ての分割電子メールを受信している場合は、ステップ７０３に進み、新着の電子メールがあることを画像表示部１０４に表示する。
ステップ７０４で抽出部１２２は、複数の第２の情報、識別情報、結合情報を抽出し、画像情報生成部１２４に伝送する。ステップ７０５でｎに初期値（１）を設定する。ステップ７０６で第２の情報に基づき、１番目の分割された本文を画像表示部１０４に表示する（１番目の分割電子メール表示画面８０１）。さらに、ステップ７０７で結合情報に基づき、結合方法一覧を画像表示部１０４に表示する（結合方法一覧画面６０１）。上記表示の実行プログラムは、第１の電子メール３０１の添付ファイル３１３の結合するための実行ファイル３４１に含まれる。ステップ７０６、７０７で表示される画面は、別ウィンドウで表示させるため、同時に両方の画面を見ることができる。
【００５２】
ステップ７０８でｎ番目（１≦ｎ≦分割された電子メールの数）の分割された本文を表示（ステップ７０６又はステップ７１２）してから一定時間内に結合方法一覧画面６０１から結合方法が選択されたか否か判断する。「選択する」とは、ユーザが画像表示部１０４上のオブジェクトを指令入力部１２３から指定することをいう。例えば、マウスの指定位置を矢印で表示し、選択したい結合方法の番号の上に矢印を移動させ左クリックすると、上記番号が選択される。選択された場合は、ステップ７０９に進み、さらに選択された方法が正しいか否か判断する。ステップ７０８で一定時間内に結合方法が選択されなかった場合又はステップ７０９で選択された方法が誤っている場合は、ステップ７１０に進む。ステップ７１０でｎが電子メールの数と等しいか否か判断する。ｎが電子メールの数に等しくない場合は、ステップ７１１に進み、ｎに１を加算し、ステップ７１２に進む。ステップ７１２で第２の情報に基づき、ｎ番目の分割された本文を画像表示部１０４に表示し（ｎ番目の分割電子メール表示画面８０２）、ステップ７０８に戻る。最後の分割された電子メールの本文（第２の情報）を表示して一定時間が経過するまで、ユーザは別の結合方法を選択し、正しい結合方法を探し続ける。
【００５３】
ステップ７０９で選択された方法が正しい場合又はステップ７１０でｎが分割して送信された電子メールの数と等しい場合は、ステップ７１３に進み、情報結合部１２５が正しい結合方法で結合した本文を、画像表示部１０４に表示する（結合結果表示画面８０３）。選択された番号の実行ファイルを起動するプログラムは、第１の電子メール３０１の添付ファイル３１３の結合するための実行ファイル３４１に含まれる。図６示す０〜９９の数字の中の１つの数字が、実行ファイル３４１に関連付けられている。ステップ７１４で不要になった分割電子メールを削除し、このフローチャートを終了する。
【００５４】
本実施例のステップ７０８においては、受信者が画像表示部１０４上のオブジェクトを指定する方法としてマウスを使用しているが、キーボードから数字等を入力することにより指定しても良い。
電子メール送信装置１０１の送信者は、どのような方法で電子メールを分割するかを考えることにより、受信者とゲーム上のかけ引き（コミュニケーション）をすることができる。受信者は、本発明の電子メール送信装置１０１から送信された分割された電子メールを受信した場合に、分割された電子メールを結合する方法を探すというゲームを楽しむことができる。
【００５５】
《実施例３》
図６、図９〜１３を用いて、本発明の実施例３の電子メール受信装置、電子メール送信装置、電子メール受信方法及び電子メール送信方法について説明する。図９は本発明の実施例３の電子メール受信装置及び電子メール送信装置のシステム構成を示すブロック図である。
はじめに、実施例３の電子メール受信装置及び電子メール送信装置のシステムの構成について説明する。図９において、９０１は電子メール送信装置、９０２はインターネット、９０３は電子メール受信装置、９０４は画像表示部である。
【００５６】
電子メール送信装置９０１は、指令入力部９１１、情報生成部９１２、分割部９１３、識別情報付加部９１４、結合情報付加部９１５、格納部９１６、送信部９１７を有する。
又、電子メール受信装置９０３は、受信部９２１、抽出部９２２、指令入力部９２３、画像情報生成部９２４を有する。画像情報生成部９２４は、情報結合部９２５を有する。実施例３の電子メール送信装置９０１及び電子メール受信装置９０３は、パーソナルコンピュータである。
【００５７】
次に、実施例３の電子メール受信装置及び電子メール送信装置のシステムにおける情報の流れを説明する。ユーザは、電子メール送信装置９０１の指令入力部９１１（キーボード、マウス等）に指令情報を入力する。情報生成部９１２は、その指令情報に基づいて第１の情報（電子メールの本文）を生成する。分割部９１３は、第１の情報を複数の第２の情報（図１１に示す第１の分割された本文１１３１、第２の分割された本文１１３２）に分割する。実施例において分割部９１３は、最初に、画面上に異なる分割方法に関連付けられた複数の数字を表示する。ユーザが任意の数字を選択してクリックすると、分割部９１３は選択された分割方法で第１の情報を分割し、複数の第２の情報を生成する。
結合情報付加部９１５は、複数の第２の情報から第１の情報を生成するための結合情報を生成する。結合情報は、図１１に示す結合するための実行ファイル１１４１及び複数の電子メールに付加された識別情報（第１の電子メールの送信日時データ１１４２、第２の電子メールの送信日時データ１１４３）を含む。
【００５８】
格納部９１６は、複数の第２の情報を複数の電子メールとして送信待ちのフォルダに格納する。識別情報付加部９１４は、複数の第２の情報（複数の電子メール）のそれぞれに識別情報を付加する。実施例３において、識別情報は送信日付データ１１２３である（実質的には、電子メールの送信元の電子メールアドレスと送信日付データとを合わせた情報が識別情報である。）。送信部９１７は、識別情報付加部９１４によって識別情報が付加された複数の第２の情報（複数の電子メール）を同一の宛先に電子メールとしてそれぞれ送信する。
結合情報付加部９１５は更に、生成した結合情報を付加した最後の電子メール（分割された第２の情報をそれぞれ有する複数の電子メールを送信した後、最後に送信される。）を生成する。格納部９１６は、最後の電子メールを送信待ちのフォルダに格納する。送信部９１７は、最後の電子メールを、複数の第２の情報と同一の宛先に送信する。送信された電子メールはインターネット９０２を経由して電子メール受信装置９０３に届く。
実施例３の電子メール受信装置９０３の各ブロックは、実施例１の電子メール受信装置１０３の同名のブロックと基本的に同一の機能を有する。電子メール受信装置９０３での情報の流れは実施例１（図１）と同様であるため説明を省略する。
【００５９】
図１０、図１１を用いて実施例３の電子メール送信方法について詳細に説明する。
図１０は本発明の実施例３の電子メール送信方法のフローチャートであり、図１１は本発明の実施例３の電子メール送信装置が送信する電子メールの構成例である。
図１０において、ステップ１００１でユーザが文書を電子メール送信装置９０１の指令入力部９１１から入力する。ステップ１００２で情報生成部９１２が入力された文書から第１の情報（本文のみ）を生成する。ステップ１００３で分割部９１３が第１の情報（本文のみ）を複数の第２の情報（本文のみ）に分割する。実施例において分割部９１３は、最初に、画面上に異なる分割方法に関連付けられた複数の数字を表示する。ユーザが任意の数字を選択してクリックすると、分割部９１３は選択された分割方法で第１の情報を分割し、複数の第２の情報を生成する。本実施例において複数の第２の情報（本文のみ）は、第１の分割された本文１１３１、第２の分割された本文１１３２である。
【００６０】
ステップ１００４で結合情報付加部９１５が、複数の第２の情報から第１の情報を生成するための結合情報（識別情報を除く。）を生成する。本実施例においては、結合するための実行ファイル１１４１（分割方法の逆処理を実行する。）を生成することである。
ステップ１００５でユーザが送信先を入力すると、それぞれ第１の分割された本文１１３１、第２の分割された本文１１３２を有し、ヘッダ１１１１に同一の送信先電子メールアドレス１１２２をセットした第１の電子メール１１０１、第２の電子メール１１０２を生成する。
ステップ１００６で格納部９１６が、第１の分割された本文１１３１を含む第１の電子メール１１０１を送信待ちフォルダに格納する。ステップ１００７でｔに初期値（Ｔ０）を設定する。ステップ１００８で送信部９１７が、送信待ちの電子メールを送信する。この時、電子メールには送信日時データ１１４３が付加される。各電子メールに付加された送信日時データ１１４３が結合情報付加部９１５に伝えられる。ステップ１００９でｔに１を減算する。ステップ１０１０でｔが０と等しいか否か判断する。ｎが０に等しくない場合は、ステップ１００９に戻り、ｔが０になるまでカウントダウンする。
【００６１】
ステップ１０１０でｔが０と等しい場合は、ステップ１０１１に進み、生成済みの電子メール（最後の電子メールは除く。）を全て送信したか否か判断する。本実施例においては、このステップまでに生成済みの電子メールは第１の電子メール１１０１、第２の電子メール１１０２である。全ての生成済みの電子メールをまだ送信していない場合は、ステップ１０１５に進み、格納部９１６が次の電子メール（第２の分割された本文１１３２を含む第２の電子メール１１０２）を送信待ちフォルダに格納し、ステップ１００７に戻る。
【００６２】
ステップ１０１１で全ての生成済みの電子メールを送信している場合は、ステップ１０１２に進み、結合情報付加部９１５が、最後の電子メール（第３の電子メール１１０３）を生成する。本実施例において第３の電子メール１１０３は、結合情報（結合するための実行ファイル１１４１、第１の電子メールの送信日時データ１１４２、第２の電子メールの送信日時データ１１４３）を有する。ステップ１０１３で最後の電子メールを送信待ちフォルダに格納し、ステップ１００５でセットした送信先電子メールアドレスと同一の送信先に送信する。ステップ１０１４で不要になった第１の電子メール１１０１、第２の電子メール１１０２、第３の電子メール１１０３を送信トレイから削除し、このフローチャートを終了する。
【００６３】
図１１は、送信する電子メール内に書かれている主なデータを表している。本実施例において送信する電子メールは第１の電子メール１１０１、第２の電子メール１１０２、第３の電子メール（最後の電子メール）１１０３である。
第１の電子メール１１０１は、ヘッダ１１１１、本文１１１２を有する。第１の電子メール１１０１のヘッダ１１１１には、送信元アドレス１１２１、送信先アドレス１１２２、他のヘッダ情報（送信日付データを含む。）１１２３が配置されている。又、第１の電子メール１１０１の本文１１１２には、第１の分割された本文１１３１が配置されている。
【００６４】
第２の電子メール１１０２は、ヘッダ１１１１、本文１１１２を有する。第２の電子メール１１０２のヘッダ１１１１には、送信元アドレス１１２１、送信先アドレス１１２２、他のヘッダ情報（送信日付データを含む。）１１２３が配置されている。又、第２の電子メール１１０２の本文１１１２には、第２の分割された本文１１３２が配置されている。
第３の電子メール１１０３は、ヘッダ１１１１、本文１１１２、添付ファイル１１１３を有する。第３の電子メール１１０３のヘッダ１１１１には、送信元アドレス１１２１、送信先アドレス１１２２、他のヘッダ情報（送信日付データを含む。）１１２３が配置されている。又、第３の電子メール１１０３の本文１１１２には、ヌルデータ１１３３が配置されている（これに代えて、１つの第２の情報を配置しても良い。）。又、第３の電子メール１１０３の添付ファイル１１１３には、結合するための実行ファイル１１４１、第１の電子メール送信日時データ１１４２、第２の電子メール送信日付データ１１４３が配置されている。
第１の電子メール送信日時データ１１４２は第１の電子メール１１０１の他のヘッダ情報１１２３に含まれる送信日付データと同一の値であり、第２の電子メール送信日時データ１１４３は第２の電子メール１１０２の他のヘッダ情報１１２３に含まれる送信日付データと同一の値である。
【００６５】
図６、図１２、図１３を用いて実施例３の電子メール受信方法について詳細に説明する。図１２は本発明の実施例３の電子メール受信方法のフローチャートである。又、図１３は本発明の実施例３の電子メール受信装置が分割された本文を表示した時、１行分の結合結果を表示した時、正しい結合結果を表示した時の画面を示す図であり、図６は本発明の実施例３の電子メール受信装置が結合方法一覧を表示した時の画面を示す図である。
【００６６】
図１２において、ステップ１２０１で電子メール受信装置９０３の受信部９２１は電子メールを受信する。ステップ１２０２で一連の分割電子メールを全て受信したか否か判断する。全ての分割電子メールをまだ受信していない場合は、ステップ１２０１に戻る。全ての分割電子メールを受信している場合は、ステップ１２０３に進み、新着の電子メールがあることを画像表示部９０４に表示する。ステップ１２０４で抽出部９２２は、複数の第２の情報、識別情報、結合情報を抽出し、画像情報生成部９２４に伝送する。ステップ１２０５で第２の情報に基づき、分割された本文を画像表示部９０４に表示する（図１３に示す分割電子メール表示画面１３０１）。本実施例においては、第１の分割された本文１１３１、第２の分割された本文１１３２を別々の画面に表示する。さらに、ステップ１２０６で結合情報に基づき、結合方法一覧を画像表示部９０４に表示する（図６に示す結合方法一覧画面６０１）。図６については説明済みである。上記表示の実行プログラムは、第３の電子メール１１０３の添付ファイル１１１３の結合するための実行ファイル１１４１に含まれる。ステップ１２０５、１２０６で表示される画面は、別ウィンドウで表示させるため、同時に両方の画面を見ることができる。
【００６７】
ステップ１２０７で分割された本文を表示（ステップ１２０５）してから一定時間内に結合方法一覧画面６０１からユーザによりいずれかの結合方法が選択されたか否か判断する。「選択する」とは、ユーザが画像表示部９０４上のオブジェクトを指令入力部１２３から指定することをいう。例えば、マウスの指定位置を矢印で表示し、選択したい結合方法の番号の上に矢印を移動させ左クリックすると、上記番号が選択される。ユーザによりいずれかの結合方法が選択された場合は、ステップ１２０８に進み、さらに選択された方法が正しいか否か判断する。選択された方法が誤っている場合は、ステップ１２０９に進み、分割された本文を表示（ステップ１２０５）してから一定時間が経過したか否か判断する。
【００６８】
ステップ１２０７で一定時間内に結合方法が選択されなかった場合又はステップ１２０９で一定時間が経過していた場合は、ステップ１２１０に進む。ステップ１２１０で第２の分割された本文１１３２の１行分）（所定量）を切り取り、第１の分割された本文１１３１の所定の場所に正しい結合方法で挿入した、分割された本文を画像表示部９０４に表示する（図１３に示す一部結合結果表示画面１３０２）。ステップ１２１１で全文結合したか否か判断する。ステップ１２０９で一定時間が経過していない場合又はステップ１２１１でまだ全文結合していない場合は、ステップ１２０７に戻る。ユーザは別の結合方法を選択し、正しい結合方法を探し続ける。
【００６９】
ステップ１２０８で選択された方法が正しい場合又はステップ１２１１で全文結合している場合は、ステップ１２１２に進み、情報結合部９２５が正しい結合方法で結合した本文を、画像表示部９０４に単一画面で表示する（結合結果表示画面１３０３）。選択された番号の実行ファイルを起動するプログラムは、第３の電子メール１１０３の添付ファイル１１１３の結合するための実行ファイル１１４１に含まれる。図６示す０〜９９の数字にそれぞれ関連付けられた結合方法の実行ファイルは、電子メール受信装置９０３が内蔵する。ステップ１２１３で不要になった分割電子メールを削除し、このフローチャートを終了する。
【００７０】
本実施例の電子メール送信装置９０１において、さらに暗号化部を有し、暗号化された第２の情報を送信することとしても良い。この場合、暗号キーは電話等で知らせるか又は事前に打ち合わせておく。又、複数の第２の情報をそれぞれ異なる暗号化方法で暗号化しても良い。電子メール受信装置９０３は、復号化部を有し、暗号化された第２の情報を復号化する。図６において、ユーザが結合方法を選択することに代えて、暗号の復号化方法又は暗号キーを選択しても良い。
又、本実施例のステップ１２０５においては、第１の分割された本文１１３１、第２の分割された本文１１３２を別々の画面に表示しているが、これに代えて同一の画面上に区切って表示しても良い。
又、本実施例のステップ１２０７においては、受信者が画像表示部９０４上のオブジェクトを指定する方法としてマウスを使用しているが、キーボードから数字等を入力することにより指定しても良い。
【００７１】
実施例３においては更に、分割されたために理解できない電子メールが１つずつ時間をおいて電子メール受信装置に届く故に、受信者を戸惑わせることが出来る。受信者が分割された第２の情報の結合方法を探る時、画面上で少しずつ第２の情報が結合されてゆく故に、受信者に少しずつ秘密のベールが引き剥がされて行くような印象を与えることが出来る。又、受信者に少しずつ正しい結合方法に関するヒントを与えることが出来る。
電子メール送信装置９０１の送信者は、どのような方法で電子メールを分割するかを考えることにより、受信者とゲーム上のかけ引き（コミュニケーション）をすることができる。受信者は、本発明の電子メール送信装置９０１から送信された分割された電子メールを受信した場合に、分割された電子メールを結合する方法を探すというゲームを楽しむことができる。
【００７２】
《実施例４》
図９〜図１１、図１４を用いて、本発明の実施例４の電子メール受信装置、電子メール送信装置、電子メール受信方法及び電子メール送信方法について説明する。
図９は本発明の実施例４の電子メール受信装置及び電子メール送信装置のシステム構成を示すブロック図である。図１０は本発明の実施例４の電子メール送信方法のフローチャートであり、図１１は本発明の実施例４の電子メール送信装置が送信する電子メールの構成例である。図９〜図１１は実施例３と同様であるため説明を省略する。
【００７３】
図１４を用いて実施例４の電子メール受信方法について詳細に説明する。図１４は本発明の実施例４の電子メール受信方法のフローチャートである。
図１４において、ステップ１４０１で電子メール受信装置９０３の受信部１２１は電子メールを受信する。ステップ１４０２で新着の電子メールがあることを画像表示部９０４に表示する。ステップ１４０３で分割された電子メールを画像表示部９０４に表示する。
ステップ１４０４でユーザは最後の電子メールに添付されている実行ファイルをクリックし実行する。ステップ１４０５で抽出部１２２は、送信元アドレス、送信先アドレスが最後の電子メールと同一で、他のヘッダ情報１１２３に含まれる送信日時データが、最後の電子メールに添付されている複数の第２の情報を有する電子メールのそれぞれの識別情報（送信日時データ１１４２、１１４３）と同一である、一連の全ての分割された電子メールを検索する。
【００７４】
ステップ１４０６で全ての電子メールが検索できたか否か判断する。検索できた場合は、ステップ１４０７に進み、分割された電子メールを所定の方法で結合し、結合結果を画像表示部９０４に表示する。全ての電子メールが検索できなかった場合は、「あなたは私の大切な手紙を読まずに捨てましたね。とても大切な手紙でした。もう一度手紙を送るように私に連絡してください。」という警告メッセージを画像表示部９０４に表示する。ステップ１４０８で不要になった分割電子メールを削除し、このフローチャートを終了する。
【００７５】
本実施例のステップ１２０７においては、受信者が画像表示部１０４上のオブジェクトを指定する方法としてマウスを使用しているが、キーボードから数字等を入力することにより指定しても良い。
本発明においては実行プラグラムが最後の電子メールに含まれる故、従来の電子メール受信装置（本発明のメーラを有していない情報端末）であっても、本発明の電子メール送信装置９０１から送信された分割電子メールを受信した場合に、分割電子メールを結合し、結合結果を表示することができる。この場合、本発明のメーラを有していない情報端末（プログラムを実行する機能を有する。）において、ユーザが添付ファイルを開くことを指令することにより、本発明の電子メール受信方法が実行される。これにより情報端末が、本発明の電子メール受信装置として機能する。
本実施例において、電子メール送信装置９０１から送信された分割電子メールを受信した場合としているが、これに代えて実施例１の電子メール送信装置１０１から送信された分割電子メールを受信した場合も同様の効果を得ることができる。
【００７６】
実施例においては、図６の画面からユーザによって選択された番号の実行ファイルを起動するプログラム等は第１の電子メールに添付されていた。これに代えて、電子メール受信装置が、分割された第２の情報を入力した時に実行する上記の全ての実行プログラムを有していても良い。例えば第１の電子メール３０１には、実行ファイル３４１に代えて、所定の固有情報（プログラムを起動するためのキー情報）が添付される。電子メール受信装置は、入力した電子メールに所定の固有情報が添付されているか否かを判別する。入力した電子メールに所定の固有情報が添付されていれば、電子メール受信装置は、分割された第２の情報を入力した時のプログラムを起動する。電子メール受信装置は、所定の固有情報に基づいて、正しい結合方法を検索することが出来る。
【００７７】
上記の実施例においては、電子メール受信装置のユーザは分割された情報を結合する謎解きをしながら電子メールを読む。これに代えて、電子メール受信装置が、複数の電子メールの受信を完了した時点で、自動的に複数の分割された情報を結合し又は暗号を復号化し、結合結果（元の情報）をディスプレイ等に表示しても良い。分割された情報を有する複数の電子メールを伝送することにより、例えば電子メールが経由するサーバで電子メールに含まれる重要な情報を読まれる危険性を減らすことができる。このことを重視する場合に、特に有用である。
電子メール受信装置のユーザが分割された情報の結合方法又は暗号の復号化方法（例えば特定の結合方法の固有識別情報、又は特定の結合方法の実行プログラムの起動コマンド）を操作部に入力し、電子メール受信装置が入力された結合方法又は復号化方法を実行して、複数の分割された情報を結合し又は復号化し、結合結果（元の情報）を表示しても良い。
ユーザが正しい結合方法等を発見できない場合に、電子メール受信装置がユーザに正しい結合方法等を教えなくても良い。ユーザは、例えば電子メールの送信者に電話をして、正しい結合方法等を知り、正しい結合方法等で元の情報を復元する。
【００７８】
【発明の効果】
本発明によれば、送信者が電子メールの分割方法を指定すると、受信者がゲーム感覚で結合方法を探しながら新着電子メールの内容を見る電子メール受信装置、電子メール送信装置、電子メール受信方法及び電子メール送信方法を実現できるという効果が得られる。
又、受信者が本発明のメーラを有していない情報端末において受信した場合であっても、新着電子メールに添付した実行ファイルを起動することにより、新着電子メールの内容を見る電子メール受信装置、電子メール送信装置、電子メール受信方法及び電子メール送信方法を実現できるという効果が得られる。
【図面の簡単な説明】
【図１】本発明の実施例１、２の電子メール受信装置及び電子メール送信装置のシステム構成を示すブロック図
【図２】本発明の実施例１、２の電子メール送信方法のフローチャート
【図３】本発明の実施例１、２の電子メール送信装置が送信する電子メールの構成図例
【図４】本発明の実施例１の電子メール受信方法のフローチャート
【図５】本発明の実施例１の電子メール受信装置が分割された本文を表示した時、及び正しい結合結果を表示した時の画面を示す図
【図６】本発明の実施例１、２、３の電子メール受信装置が結合方法一覧を表示した時の画面を示す図
【図７】本発明の実施例２の電子メール受信方法のフローチャート
【図８】本発明の実施例２の電子メール受信装置が分割された本文を表示した時、及び正しい結合結果を表示した時の画面を示す図
【図９】本発明の実施例３、４の電子メール受信装置及び電子メール送信装置のシステム構成を示すブロック図
【図１０】本発明の実施例３、４の電子メール送信方法のフローチャート
【図１１】本発明の実施例３、４の電子メール送信装置が送信する電子メールの構成図例
【図１２】本発明の実施例３の電子メール受信方法のフローチャート
【図１３】本発明の実施例３の電子メール受信装置が分割された本文を表示した時、１行分の結合結果を表示した時、及び正しい結合結果を表示した時の画面を示す図
【図１４】本発明の実施例４の電子メール受信方法のフローチャート
【符号の説明】
１０１、９０１　　　　　電子メール送信装置
１０２、９０２　　　　　インターネット
１０３、９０３　　　　　電子メール受信装置
１０４、９０４　　　　　画像表示部
１１１、１２３、９１１、９２３　　指令入力部
１１２、９１２　　　　　情報生成部
１１３、９１３　　　　　分割部
１１４、９１４　　　　　識別情報付加部
１１５、９１５　　　　　結合情報付加部
１１６、９１６　　　　　格納部
１１７、９１７　　　　　送信部
１２１、９２１　　　　　受信部
１２２、９２２　　　　　抽出部
１２４、９２４　　　　　画像情報生成部
１２５、９２５　　　　　情報結合部
３０１、１１０１　　　　第１の電子メール
３０２、１１０２　　　　第２の電子メール
３１１、１１１１　　　　ヘッダ
３１２、１１１２　　　　本文
３１３、１１１３　　　　添付ファイル
３２１、１１２１　　　　送信元アドレス
３２２、１１２２　　　　送信先アドレス
３２３、３４３　　　　　第２の電子メールの固有番号
３３１、１１３１　　　　第１の分割された本文
３３２、１１３２　　　　第２の分割された本文
３４１、１１４１　　　　結合するための実行ファイル
３４２　　　　　　　　　分割された電子メールの数
５０１　　　　　　　　　分割電子メール表示画面
５０２　　　　　　　　　結合結果表示画面
６０１　　　　　　　　　結合方法一覧画面
８０１　　　　　　　　　１番目の分割電子メール表示画面
８０２　　　　　　　　　ｎ番目の分割電子メール表示画面
８０３　　　　　　　　　結合結果表示画面
１１０３　　　　　　　　第３の電子メール
１１２３　　　　　　　　他のヘッダ情報
１１３３　　　　　　　　電子メール本文
１１４２　　　　　　　　第１の電子メール送信日時データ
１１４３　　　　　　　　第２の電子メール送信日時データ
１３０１　　　　　　　　分割電子メール表示画面
１３０２　　　　　　　　一部結合結果表示画面
１３０３　　　　　　　　結合結果表示画面
【図１】
2004062775.tif 000003
【図２】
2004062775.tif 000004
【図３】
2004062775.tif 000005
【図４】
2004062775.tif 000006
【図５】
2004062775.tif 000007
【図６】
2004062775.tif 000008
【図７】
2004062775.tif 000009
【図８】
2004062775.tif 000010
【図９】
2004062775.tif 000011
【図１０】
2004062775.tif 000012
【図１１】
2004062775.tif 000013
【図１２】
2004062775.tif 000014
【図１３】
2004062775.tif 000015
【図１４】
2004062775.tif 000016